(57)【要約】【課題】光軸方向の小型化ができるとともに、摺動抵抗を軽減したレンズ鏡筒を提供する。【解決手段】本発明のレンズ鏡筒は、少なくとも一つのレンズ１７を保持するレンズ枠１８と、前記レンズ枠１８を前記レンズ１７の光軸Ａ−Ａ’方向に摺動可能に保持するホルダー１３と、前記レンズ枠１８の摺動を規制する摺動ガイド１９と、前記レンズ枠１８を前記光軸Ａ−Ａ’方向に駆動するレンズ駆動機構２２と、前記レンズ枠１８を前記光軸Ａ−Ａ’方向に付勢するバネ２１と、前記バネ２１を保持するバネガイド２０と、を備え、前記摺動ガイド１９と前記バネガイド２０は別体に形成されることを、特徴とする。【選択図】図３
2010112965.tif 000002
【特許請求の範囲】
【請求項１】
少なくとも一つのレンズを保持するレンズ枠と、
前記レンズ枠を前記レンズの光軸方向に摺動可能に保持するホルダーと、
前記レンズ枠の摺動を規制する摺動ガイドと、
前記レンズ枠を前記光軸方向に駆動するレンズ駆動機構と、
前記レンズ枠を前記光軸方向に付勢するバネと、
前記バネを保持するバネガイドと、
を備え、
前記摺動ガイドと前記バネガイドは別体に形成されることを、
特徴とするレンズ鏡筒
【請求項２】
前記レンズ駆動機構と前記バネガイドは、
互いに隣接して配される、
ことを特徴とする請求項１に記載のレンズ鏡筒。
【請求項３】
前記レンズ駆動機構と前記バネガイドは、
前記摺動ガイドに隣接して配される、
ことを特徴とする請求項１または２に記載のレンズ鏡筒。
【発明の詳細な説明】
【技術分野】
【０００１】
本発明は、レンズ鏡筒に関するものであり、特には、レンズ枠の駆動機構に関するものである。
【背景技術】
【０００２】
撮像装置のレンズ鏡筒の多くは、フィルムや撮像素子上に被写体像を合焦させるために、フォーカスレンズを内蔵している。また、被写体像の大きさを変えるために、ズームレンズを内蔵するレンズ鏡筒もある。
【０００３】
フォーカスレンズやズームレンズは、上記目的を達成するために、レンズ鏡筒内で光軸方向に移動可能に保持されている。
【０００４】
図６は、従来のレンズ鏡筒のホルダーとレンズ枠を示す図である。図６（ａ）は斜視図であり、図６（ｂ）は図６（ａ）のＩ−Ｉ’断面を示す断面図である。
【０００５】
ホルダー６０は、中心にレンズを保持したレンズ枠６１を、光軸Ｊ−Ｊ’方向に摺動可能に保持している。レンズ枠６１は、摺動ガイド６２によって、移動方向が光軸Ｊ−Ｊ’方向になるように規制されている。
【０００６】
レンズ枠６１の摺動ガイド６２に勘合する部分の光軸Ｊ−Ｊ’方向の長さをガイドスパンＫと呼ぶ。
【０００７】
レンズ枠６１は、摺動ガイド６２に保持されたバネ６３によってＪ向きに付勢されるとともに、モータ等のレンズ駆動機構６４によって光軸Ｊ−Ｊ’方向に駆動される。
【０００８】
同様の構成は、特許文献１にも開示されている。
【特許文献１】特開２０００−８１５５７号公報
【発明の開示】
【発明が解決しようとする課題】
【０００９】
しかし、従来のレンズ鏡筒には、バネ６３が摺動ガイド６２に保持されているので、バネ６３長とガイドスパンＫを含めた長さが光軸Ｊ−Ｊ’方向に必要となり、光軸Ｊ−Ｊ’方向の小型化が困難であるという課題がある。
【００１０】
本発明は、前記課題を解決し、光軸方向の小型化ができるとともに、摺動抵抗を軽減したレンズ鏡筒を提供することを目的とする。
【課題を解決するための手段】
【００１１】
前記課題を解決するために、本発明のレンズ鏡筒は、少なくとも一つのレンズを保持するレンズ枠と、前記レンズ枠を前記レンズの光軸方向に摺動可能に保持するホルダーと、前記レンズ枠の摺動を規制する摺動ガイドと、前記レンズ枠を前記光軸方向に駆動するレンズ駆動機構と、前記レンズ枠を前記光軸方向に付勢するバネと、前記バネを保持するバネガイドと、を備え、前記摺動ガイドと前記バネガイドは別体に形成されることを、特徴とする。
【００１２】
また、前記レンズ駆動機構と前記バネガイドは、互いに隣接して配される、ことを特徴とする。
【００１３】
また、前記レンズ駆動機構と前記バネガイドは、前記摺動ガイドに隣接して配される、ことを特徴とする。
【発明の効果】
【００１４】
以上のように、本発明によれば、摺動ガイドとバネガイドが別体に形成されるので、光軸方向の小型化ができる。また、レンズ駆動機構とバネガイドまたはレンズ駆動機構とバネガイドと摺動ガイドを隣接して配するので、摺動抵抗を低減することができる。
【発明を実施するための最良の形態】
【００１５】
（実施の形態）
（１．レンズ鏡筒）
図１は、本発明のレンズ鏡筒の断面図である。レンズ鏡筒は、円筒状の鏡筒枠１０、１１、１２とホルダー１３で構成されている。
【００１６】
鏡筒枠１０は、鏡筒枠１１の内側において、光軸Ａ−Ａ’方向に移動可能に配されている。鏡筒枠１０は、ズームレンズ１４を保持したレンズ枠１５を保持しているので、鏡筒枠１０が光軸Ａ−Ａ’方向に移動に移動することで撮像素子１６上の被写体像の大きさを変えることができる。
【００１７】
鏡筒枠１１は、鏡筒枠１２の内側において、光軸Ａ−Ａ’を中心として回転自在に配されているとともに、光軸Ａ−Ａ’方向に移動可能に配されている。鏡筒枠１１は、光軸Ａ−Ａ’を中心として回転することで鏡筒枠１０を光軸Ａ−Ａ’方向に移動させるとともに、自らも光軸Ａ−Ａ’方向に移動する。
【００１８】
鏡筒枠１２は、ホルダー１３に固定されている。
【００１９】
ホルダー１３は、中心にフォーカスレンズ１７を保持したレンズ枠１８を、光軸Ａ−Ａ’方向に摺動可能に保持しているので、撮像素子１６上に被写体像を合焦させることができる。レンズ枠１８は、摺動ガイド１９によって、移動方向が光軸Ａ−Ａ’方向になるように規制されている。
（２．ホルダーとレンズ枠）
図２は、本発明のレンズ鏡筒のホルダーとレンズ枠を示す図である。図２（ａ）は斜視図であり、図２（ｂ）は図２（ａ）のＢ−Ｂ’断面を示す断面図である。
【００２０】
ホルダー１３は、フォーカスレンズ１７を保持したレンズ枠１８を、光軸Ａ−Ａ’方向に摺動可能に保持している。レンズ枠１８は、摺動ガイド１９によって、移動方向が光軸Ａ−Ａ’方向になるように規制されている。
【００２１】
レンズ枠１８の摺動ガイド１９に勘合する部分の光軸Ａ−Ａ’方向の長さをガイドスパンＣと呼ぶ。
【００２２】
レンズ枠１８は、バネガイド２０に保持されたバネ２１によってＡ向きに付勢されるとともに、モータ等のレンズ駆動機構２２によって光軸Ａ−Ａ’方向に駆動される。
【００２３】
図３は、本発明のレンズ鏡筒のホルダーとレンズ枠を示す斜視図である。図２（ａ）では、レンズ枠１８が最もＡ’向きに移動した状態を示した。図３は、レンズ枠１８がレンズ駆動機構２２によってＡ向きに移動した状態を示しているので、バネガイド２０に保持されたバネ２１を視認することができる。
（３．組み立て）
図４は、本発明のレンズ鏡筒のホルダーとレンズ枠の分解図である。まず、ホルダー１３のバネガイド２０にバネ２１を取り付ける。次に、レンズ枠１８の摺動ガイド孔４０ａ、４０ｂに摺動ガイド１９を、バネガイド孔４１にバネガイド２０を、それぞれ挿通する。
（その他の実施の形態）
なお、前記実施の形態では、本発明をフォーカスレンズに適用した例を示したが、ズームレンズを始め、レンズ鏡筒内を光軸方向に移動可能に保持されているすべてのレンズに適用できる。
【００２４】
また、前記実施の形態では、ホルダー１３が摺動ガイド１９とバネガイド２０を備え、レンズ枠１８が摺動ガイド孔４０ａ、４０ｂとバネガイド孔４１を備える例を示したが、レンズ枠１８が摺動ガイドとバネガイドを備え、ホルダー１３が摺動ガイド孔とバネガイド孔を備えていてもよい。あるいは、ホルダー１３とレンズ枠１８が、それぞれ一方のガイドと他方の孔を備えていてもよい。
【００２５】
また、前記実施の形態では、レンズ枠１８がレンズ駆動機構２２を備える例を示したが、ホルダー１３がレンズ駆動機構を備えていてもよい。
（まとめ１）
以上のように、本発明によれば、摺動ガイド１９とバネガイド２０が別体に形成される。レンズ枠１８が光軸Ａ−Ａ’と垂直な状態を保ちながら摺動ガイド１９に従って滑らかに移動するために、ガイドスパンＣには、一定程度の長さが必要である。
【００２６】
バネガイド２０を摺動ガイド１９と別体に形成することで、バネ２１長とガイドスパンＣを含めた長さを光軸Ａ−Ａ’方向に必要とすることがないので、光軸Ａ−Ａ’方向の小型化ができる。
（まとめ２）
レンズ駆動機構２２とバネガイド２０は、互いに隣接して配するのが望ましい。さらには、レンズ駆動機構２２とバネガイド２０は、摺動ガイド１９に隣接して配するのがのぞましい。
【００２７】
図５は、摺動ガイドに働くモーメントを示す図である。図５（ａ）は図２（ｂ）に示す断面図と同じであり、図５（ｂ）は図５（ａ）の破線枠Ｄ内の拡大図である。
【００２８】
図５（ｂ）において、バネ２１による付勢力Ｅは摺動ガイド１９に対するモーメントＧを発生する。一方、バネ２１による付勢力Ｅの反作用であるレンズ駆動機構２２の駆動力Ｆは、摺動ガイド１９に対するモーメントＨを発生する。
【００２９】
レンズ駆動機構２２とバネガイド２０を互いに隣接して配することで、モーメントＧとモーメントＨが打ち消しあうので、レンズ枠１８を摺動ガイド１９に従って滑らかに移動させることができる。
【産業上の利用可能性】
【００３０】
本発明によれば、レンズ鏡筒の光軸方向の小型化ができるので、フィルムカメラやデジタルカメラ、ビデオカメラなどの撮像装置に適用して有用である。特には、小型化の要求が厳しいコンパクトタイプのデジタルカメラに適用して有用である。
【図面の簡単な説明】
【００３１】
【図１】本発明のレンズ鏡筒の断面図
【図２】本発明のレンズ鏡筒のホルダーとレンズ枠を示す図
【図３】本発明のレンズ鏡筒のホルダーとレンズ枠を示す斜視図
【図４】本発明のレンズ鏡筒のホルダーとレンズ枠の分解図
【図５】摺動ガイドに働くモーメントを示す図
【図６】従来のレンズ鏡筒のホルダーとレンズ枠を示す図
【符号の説明】
【００３２】
１０、１１、１２    鏡筒枠
１３    ホルダー
１４    ズームレンズ
１５    レンズ枠
１６    撮像素子
１７    フォーカスレンズ
１８    レンズ枠
１９    摺動ガイド
２０    バネガイド
２１    バネ
２２    レンズ駆動機構
４０ａ、４０ｂ    摺動ガイド孔
４１    バネガイド孔
【図１】
2010112965.tif 000003
【図２】
2010112965.tif 000004
【図３】
2010112965.tif 000005
【図４】
2010112965.tif 000006
【図５】
2010112965.tif 000007
【図６】
2010112965.tif 000008